(57)【要約】  容器は、開口部（４）を有する容器本体（１）と、開口部（４）を閉鎖するキャップ（５）と、襟部（６）と、を備え、襟部（６）は、容器本体（１）及びキャップ（５）の間で嵌合するように構成され、キャップ（５）を容器本体（１）に固定し、襟部（６）は、収縮構造及び拡張構造の間で移動可能であり、襟部（６）の円周部分が収縮及び拡張構造において内側及び外側位置間で径方向に移動可能であり、襟部（６）及びキャップ（５）には、キャップ（５）の襟部（６）に対する回転を抑制する相互に係合可能な部分（７、５Ｄ、５Ｅ、５Ｆ）が設けられ、上記回転は、収縮及び拡張構造間において襟部（６）の運動をもたらすかつ／または抑制する。
2009544543.tif 000002
【特許請求の範囲】
【請求項１】
開口部を有する容器本体と、前記開口部を閉鎖するキャップと、襟部と、を備える容器であって、
前記襟部は、前記容器本体及び前記キャップの間で嵌合するように構成され、前記キャップを前記容器本体に固定し、
前記襟部は、収縮構造及び拡張構造の間で移動可能であり、当該襟部の円周部分が前記収縮及び拡張構造において内側及び外側位置間で径方向に移動可能であり、
前記襟部及び前記キャップには、前記キャップの前記襟部に対する回転を抑制する相互に係合可能な部分が設けられ、
前記回転は、前記収縮及び前記拡張構造間において前記襟部の運動をもたらすかつ／または抑制することを特徴とする容器。
【請求項２】
前記襟部は、直径が減少または増大されて前記収縮または前記拡張構造間で移動されるリング部を有することを特徴とする請求項１に記載の容器。
【請求項３】
前記リング部の外周は、減少または増大されて当該リング部の直径を減少または増大することを特徴とする請求項２に記載の容器。
【請求項４】
前記容器本体は、当該容器本体の前記開口部の周囲に外方に突出する唇部を有することを特徴とする請求項１から３のいずれか１項に記載の容器。
【請求項５】
前記襟部または少なくとも当該襟部の一部は、前記収縮構造において前記唇部の下方に係合することを特徴とする請求項４に記載の容器。
【請求項６】
前記唇部の上端部は、前記唇部の下面に係合することを特徴とする請求項２及び５に記載の容器。
【請求項７】
前記リング部のほぼ全体は、前記唇部の下方に係合することを特徴とする請求項６に記載の容器。
【請求項８】
前記襟部は、リング部であって当該リング部にある破断部を有して当該襟部が前記拡張及び前記収縮構造間で移動されることを可能とするリング部を備えることを特徴とする請求項１から７のいずれか１項に記載の容器。
【請求項９】
前記襟部は、リング部であって少なくとも当該リング部の部分が弾性的に円周方向で拡張可能であり、前記襟部は、前記拡張及び前記収縮構造間で移動されることを特徴とする請求項１から７のいずれか１項に記載の容器。
【請求項１０】
前記襟部は、複数の円周方向に延在する径方向移動可能部分であって前記収縮構造において唇部の下方に係合する径方向移動可能部分を有することを特徴とする請求項１から５のいずれか１項に記載の容器。
【請求項１１】
４から１２の前記径方向移動可能部分は、前記リング部の円周方向で間隔を空けていることを特徴とする請求項１０に記載の容器。
【請求項１２】
使用時において、前記収縮構造に移動された後、前記襟部または前記襟部の一部の弾性は、前記拡張構造に前記襟部を戻すことを特徴とする請求項１から１１のいずれか１項に記載の容器。
【請求項１３】
前記襟部は、前記容器本体にある１以上の停止機構と係合するための１以上の内方に向けられた突出部を有し、当該襟部の前記容器本体に対する少なくとも締結方向における回転を抑制することを特徴とする請求項１から１２のいずれか１項に記載の容器。
【請求項１４】
前記停止機構は、前記容器本体の外壁にある１以上の浅い凹所を備えることを特徴とする請求項１３に記載の容器。
【請求項１５】
前記停止機構は、前記容器本体の唇部の直下にある１以上の突出部を備えることを特徴とする請求項１３に記載の容器。
【請求項１６】
請求項１から１５のいずれか１項に記載の容器の形成に使用するためであることを特徴とするキャップ及び襟部。
【請求項１７】
単一部材として製造され、そして当該襟部が当該キャップに組み立てられる前か後かのいずれかにおいて二分割されていることを特徴とする請求項１６に記載のキャップ及び襟部。
【請求項１８】
破断されるように構成された相互接続部品によって結合され、当該襟部が当該キャップ内に組み立てられた後、当該キャップは、当該襟部に対して回転されることを特徴とする請求項１７に記載のキャップ及び襟部。
【発明の詳細な説明】
【技術分野】
【０００１】
本発明は、容器に関し、詳細には消費者に飲料を供給するための容器に関する。本発明は、炭酸及び他の発泡性飲料の貯蔵及び供給についての特有の実用性を有するだけでなく、同様に他のタイプの飲料または他の材料についての使用について適している。また、本発明は、容器本体、キャップ及びこのような容器を提供するためのキャップ及び襟部の組み合わせに関する。
【背景技術】
【０００２】
容器であってキャップを当該容器に締結するためのネジ部を有する別個のリングまたは襟部を有する容器は、例えば特許文献１〜４において既知である。また、本出願人は、例えば特許文献５に記載されているようなキャップオンカラー(cap-on-collar)の閉鎖部を有する容器を提案しており、本明細書にその開示が組み込まれる。
【先行技術文献】
【特許文献】
【０００３】
【特許文献１】米国特許第３６０３４７２号明細書
【特許文献２】米国特許第４５７６２９６号明細書
【特許文献３】国際公開第８４／０１７６３号パンフレット
【特許文献４】欧州特許第０５１７６７６号明細書
【特許文献５】国際公開第２００６／０００７７４号パンフレット
【発明の概要】
【発明が解決しようとする課題】
【０００４】
本発明は、特許文献５に記載された容器のような容器を越える改良を提供することを求める。
【課題を解決するための手段】
【０００５】
本発明の第１の形態において、開口部を有する容器本体と、開口部を閉鎖するキャップと、襟部と、を備える容器であって、襟部は、容器本体及びキャップの間で嵌合するように構成され、キャップを容器本体に固定し、襟部は、収縮構造及び拡張構造の間で移動可能であり、襟部の円周部分が収縮及び拡張構造において内側及び外側位置間で径方向に移動可能であり、襟部及びキャップには、キャップの襟部に対する回転を抑制する相互に係合可能な部分が設けられ、上記回転は、収縮及び拡張構造間において襟部の運動をもたらす及び／または抑制する容器が提供される。
【０００６】
好ましい形態において、襟部は、リング部であってリング部にある破断部を有して襟部が拡張及び収縮構造間で移動されることを可能とするリング部を備える。
【０００７】
別の形態において、襟部は、リング部であって少なくともリング部の部分が弾性的に円周方向で拡張可能であり、襟部は、拡張及び収縮構造間で移動される。
【０００８】
本発明のさらなる形態において、上記記載の容器の形成に使用するためであるキャップ及び襟部が提供される。襟部は、キャップ内に事前に組み立てられてもよい。キャップ及び襟部は、単一部材として製造され、そして襟部がキャップ内に組み立てられる前か後かのいずれかで二分割されている。キャップ及び襟部は、破断されるように構成された相互接続部品によって結合され、キャップは、襟部に対して回転される。
【０００９】
本発明のさらに最適かつ好ましい特徴は、以下の記載から及び図面から明らかであるだろう。
【００１０】
また、本発明は、本明細書に記載された特徴の他の新規な組み合わせにわたり、上記発明に限定されない。
【００１１】
本発明の有利点は、容器本体に襟部を設けることによって、キャップが容器を閉鎖するために固定され、襟部が好ましくは容器本体から取り外され、容器本体がキャップを容器本体に固定するための外ネジ部または他の固定手段なく作られる。外ネジ部または他の固定手段がほぼない飲料容器を提供することは、飲料容器であって消費者が飲料容器から直接飲める全く実用的な飲料用器の提供を可能とする。これは、開口部と隣接するネジ部の存在が、消費者に対して許容可能な飲料容器として全く実用的でないボトル及び既知の広口の容器についての主な理由であるからである。
【００１２】
誤解を避けるため、この明細書で使用される用語「襟部」は、容器の開口部にわたって延在する既知のキャップ状の部品を含まない。
【００１３】
本発明が（少なくとも一部の形態で）もたらす他の有利点は、以下を含む。
−  （例えば襟部を介して）キャップを容器本体に固定する方法を（例えばキャップ及び容器本体の間に設けられた封止部を介して）容器を封止する任意の方法から分離すること。これは、例えば内側のキャップ状部分が容器本体に対する封止を形成しかつ外側のキャップの容器本体への固定に寄与する点で、既知の容器と対照的である。このような分離は、しばしばより良好な封止及びより良好な固定の双方をもたらす。
−  伸張を受けるよりはむしろ（キャップの部分及び容器本体の部分との間の）収縮を受けながらキャップを容器本体（すなわち襟部または襟部の所定部分）に固定する手段を配置すること。これは、伸張状態で配置された内側のキャップ状部分の所定部分を介して内側のキャップ状部分が外側のキャップの容器本体への固定に寄与する点で、既知の容器と比較される。伸張を受けるよりはむしろ圧縮を受けながら固定部分を配置することは、しばしばより強固な固定をもたらす。
【００１４】
好ましくは、本発明の容器本体は、１以上の保持部を有し、襟部は、保持部によってキャップの取り外しが襟部を容器本体から取り外しまたは取り外し可能とさせるまで容器本体に保持される。有利には、保持部は、容器本体の周縁部または唇部であってもよく、好ましくは径方向外方に突出する唇部である。好ましくは、襟部は、容器本体の唇部または他の保持部の下方で捕捉されることによって、容器本体に維持されている。
【００１５】
好ましくは、襟部は、襟部の外周に沿って互いに間隔を空けて配置された複数の径方向移動可能機構を備え、キャップ及び襟部は、キャップが襟部に固定されうる協働固定手段を有する。
【００１６】
好ましくは、襟部の径方向移動可能機構は、上記機構が直接襟部に接続される襟部のリング部分を用いて互いに間接的に接続されている。襟部の径方向移動可能機構は、好ましくは、径方向内方に突出する肩部であって好ましくはそこに襟部を保持する容器本体の唇部または他の保持部と係合する肩部を有する。
【００１７】
キャップは、好ましくは襟部とのネジ係合を用いて襟部を介して容器本体に開放可能に固定可能である。したがって、襟部及び／またはキャップにおけるその（または各）固定手段は、ネジ部である。ネジ係合は、螺合を含む。しかしながら、好ましくは、ネジ係合は、バイオネット型係合である。本明細書で使用される用語「ネジ部」は、例えば、（少なくとも本発明の最も広い形態で）連続的及び非連続的なネジ部（例えば連続的及び非連続的なネジ部）と、バイオネット型のネジ部と、を含む。本発明に関して使用されるネジ部は、効果がほぼ連続しているネジ部のパターンの効果であるため、例えば、複数のセグメント（各ネジセグメントが上記固定手段を備える）であってもよく、ネジ部が不連続である場合（例えば、不連続なネジ部またはバイオネットネジ部であってもよく、またはネジ部がほぼ連続してもよい。
【００１８】
複数の周方向で間隔の空いた部材を備えるネジ機構の使用は、キャップを開放するために必要なトルクを低減する。これは、これは、広口の容器にとって特に重要であり、そうでなければ、閉鎖部を螺合解除するために必要なトルクを手によって付与することがユーザにとって困難となる。
【００１９】
容器本体の開口部は、好ましくは、広口の開口部である。「広口の開口部」は、（少なくともその最も広い意味において）グラスまたは同様の飲料容器から飲むのと同様に容器から飲む人間にとって適切なサイズの開口部であることを意味する。それは、最も広い意味において、（広口の開口部を有する本発明の形態に対して）容器の広口の開口部は、飲料容器であって飲料がこの飲料容器から供給される飲料容器が（一般に快適な飲料容器とされていない従来の狭い首部のボトル及びリングプル缶と比較して）便利よく飲まれるように、一般に容器を適切にする。実際には、この必要性は、容器の広口の開口部の直径が少なくとも４０ｍｍ、好ましくは少なくとも４５ｍｍ、より好ましくは少なくとも５０ｍｍであることを意味する。さらに、過剰に広い開口部は、消費者にとってそこから飲むことが一般に困難であり、このため、広口の開口部は、好ましくは、１５０ｍｍ以下、より好ましくは１００ｍｍ以下、特に８０ｍｍ以下の直径を有する。広口の開口部についての特に好ましい直径の範囲は、５０から８０ｍｍであり、特に好ましい直径の例は、５３ｍｍ及び６３ｍｍを含む。
【００２０】
あるいは、容器本体の開口部は、例えばボトルタイプの開口部のような狭口の開口部であってもよい。このような開口部は、例えば４０ｍｍ以下の直径を有する。従来の標準的なボトルの口部のサイズは、２８ｍｍ及び３８ｍｍの直径を含み、本発明の一部の形態における容器本体の開口部は、このような直径を有する。
【００２１】
容器本体は、好ましくは、その外面にネジ部またはネジセグメントを有さない。したがって、容器本体は、好ましくは、容器本体から直接飲むことが消費者にとって快適となる。
【００２２】
襟部を介して容器本体にキャップを固定するためのネジ部の形状の幅広い種類は、可能である。本明細書の最初に示されているように、本発明の少なくとも一部の形態は、例えばビール、サイダー、スパークリングワイン（シャンパンを含む）、他の発泡性のアルコール飲料及びノンアルコールの発泡性飲料並びに発泡水及び炭酸ソフトドリンクを含むスパークリング飲料などの、炭酸及び他の発泡性飲料の貯蔵及び供給を目的としている。このような飲料について、キャップ及び襟部の間の係合に対してキャップが容器本体から部分的に取り外されるとすぐにガスを排気して、それによって容器の内容物のガス圧によって容器が開放されるにしたがってキャップが容器本体から激しく押出される、いわゆるキャップの「発射(missiling)」を防止する措置を含むことは、好ましい。
【００２３】
したがって、有利には、襟部及びキャップは、手段、好ましくは係合素子を有し、キャップが容器本体から浮上する方向で軸方向の圧力を受けるとき、中間位置（完全に固定される位置及び完全に開放される位置の間）を越えて襟部からキャップが取り外されることを妨害または制限する。
【００２４】
好ましくは、キャップ、襟部及び容器本体は、少なくともキャップが（完全に固定される位置と完全に開放される位置との間の）中間位置にあるときに、容器本体から気体を排気するための通気をもたらすように構成されかつ配置されている。
【００２５】
好ましくは、容器本体からのキャップの取り外しの作用は、襟部を容器本体からキャップと共に取り外させる。すなわち、襟部は、容器本体からキャップと共に取り外されうる。
【００２６】
本発明の一部の形態において、キャップ及び／または襟部は、不正開封(tamper-evident)防止手段（例えば不正開封防止バンド）を有する。好ましくは、不正開封防止手段は、キャップの容器本体からの取り外しの作用によってキャップまたは襟部（それぞれ）から破断されまたは取り外される。有利には、不正開封防止手段及び／または襟部は、（例えば容器内に保持されている加圧された飲料による）容器内の圧力の影響を受けてキャップが襟部から誤って螺合解除されることを防止する手段を有してもよい。
【００２７】
本発明の形態は、好ましくは、容器を封止する封止手段を有する。このような封止手段は、例えば、キャップ及び／または容器本体及び／または襟部及び／または別の部材の一部を備える。好ましい封止手段は、封止フランジ部及び／または例えばガスケット及び同様のもののような他の封止部材を有する。他の可能性のある封止手段は、例えば（例えばアルミニウムホイルから形成される）金属ホイルシールであって状況に応じてその一方または双方の主面(major surfaces)に１以上のポリマー層が設けられた金属ホイルシールを有する。ホイルシールには、例えば優良な気体バリアを設けてもよい。有利には、金属ホイルシールの使用は、例えば１以上のポリマー層を容器本体及び／またはキャップに接着することによって、誘導加熱によってシールの変形を可能としてもよい。ホイルシールまたは他の薄膜シールは、キャップ及び／または容器本体及び／または襟部及び／または別の部材に設けられてもよい。
【００２８】
容器及びその構成部材は、金属及び／またはガラス及び／またはポリマー材料を含む任意の適切な材料から作製されてもよい。ポリマー材料、特に例えばポリエチレンまたはポリプロピレンなどのポリオレフィンは、一般的に、キャップ及び襟部について好ましい。容器本体は、好ましくは、ガラスまたはポリマー材料、特にポリエチレンテレフタレート（ＰＥＴ）などのポリオレフィンで形成されている。また、閉鎖部は、ポリエチレンテレフタレート（ＰＥＴ）で形成されてもよい。ポリマー部材は、好ましくは、成形、特に射出成形及び／またはブロー成形によって形成されている。
【００２９】
本発明は、添付の図面を参照しながら以下でより詳細に記載されるが、単なる例に過ぎない。
【図面の簡単な説明】
【００３０】
【図１】本発明の第１の実施形態における容器を示す側面図であってキャップが容器本体に固定された側面図である。
【図２】図１の容器を示す分解組立図であってキャップ、襟部及び容器本体を示す分解組立図である。
【図３】図１のキャップ及び襟部の断面図と容器本体の一部の側面図とを示す図である。
【図４】キャップ及び襟部を示す断面斜視図であって（容器本体に嵌合される前に）襟部がキャップに嵌合された断面斜視図と容器本体の一部を示す斜視図とを示す図である。
【図５】容器本体に固定されたときのキャップ及び襟部を示す断面斜視図である。
【図６】図５の断面斜視図と同様であるがキャップのみが断面図であり襟部が開放位置で示されている断面斜視図である。
【図７】図６の断面斜視図と同様であって襟部が湾曲位置にある断面斜視図である。
【図８】第１の実施形態において用いられるような襟部であって開放位置で示される面図である。
【図９】第１の実施形態において用いられるような襟部であって湾曲位置で示される平面図である。
【図１０】本発明の第２の実施形態における容器を示す側面図であってキャップが容器本体に固定された側面図である。
【図１１】図１０に示す容器の分解組立図であってキャップ、襟部及び容器本体を示す分解組立図である。
【図１２】図１０のキャップ及び襟部を示す断面図と容器本体の一部を示す側面図とを示す図である。
【図１３】キャップ及び襟部を示す断面斜視図であって（容器本体に嵌合される前に）襟部がキャップに嵌合された断面斜視図と容器本体の一部を示す斜視図とを示す図である。
【図１４】容器本体に固定されたときに襟部が開放位置にあるキャップ及び襟部を示す断面斜視図である。
【図１５】図１４の断面斜視図と同様であって襟部が閉鎖位置で示される断面斜視図である。
【図１６】第２の実施形態において用いられるような襟部であって開放位置で示される平面図である。
【図１７】第２の実施形態において用いられるような襟部であって閉鎖位置で示される平面図である。
【図１８】本発明の第３の実施形態において用いられる襟部を示す斜視図である。
【図１９】上記実施形態において用いられうる容器本体の他の形態を示す斜視図である。
【図２０】図１９で示される容器を示す側面図である。
【発明を実施するための形態】
【００３１】
図は、広口の容器と、発泡性飲料を保持、搬送するために位置する閉鎖部とを示しており、いったん開栓されると、容器は、ユーザが快適に飲める容器を提供する。また、閉鎖部は、ユーザが飲料の一部を飲んで以降の使用のために容器を再び封止したいと望むように、容器に再び取り付けられる。
【００３２】
図１〜図９は、本発明における容器の第１の実施形態を示している。図１〜図９に示される容器本体１は、広口の開口部４を規定するその上端部を囲む周縁部３を有する壁部２を備え、容器本体１は、開口部４を介して充填され、かつ飲料は、開口部４を介して分配されまたは飲まれる。周縁部３は、容器壁部２から径方向外方に突出する唇部を備える。
【００３３】
閉鎖部は、容器本体１の開口部４を閉鎖するための上側の円形部分５Ａと、円形部分５Ａの周囲から垂下するスカート部分５Ｂと、を有するキャップ５を備える。また、閉鎖部は、リングであって複数の周方向で間隔が空けられた径方向移動可能部分７であってリングに設けられた径方向移動可能部分７を有するリングの形状をなす襟部６を備える。
【００３４】
図１〜図７に示すように、容器本体１の口部は、特許文献５に記載された容器のような容器と比較して特に単純かつ滑らかな形状を有する。唇部３は、滑らかで湾曲した外面３Ａと、ほぼ平坦で水平な下面３Ｂと、を有する。また、容器本体１の外壁部は、一様に滑らかであり、唇部３から間隔の空いた位置における１以上の小さな凹部または凹所２Ａから離間した機構がない（図２及び図４参照）。主として、凹所２Ａは、（容器の円周方向において）２〜５ｍｍの幅であり、（容器の軸と平行な方向において）２〜５ｍｍの高さであり、（径方向で）１〜２ｍｍ未満の深さである。好ましくは、単一の凹所２Ａまたは少数の凹所２Ａは、容器の円周周りで間隔を空けて、例えば２つが１８０度で間隔を空けて、３つが１２０度で間隔を空けてまたは４つが９０度で間隔を空けて、位置して設けられている。凹所２Ａは、（キャップの軸と平行な方向において）キャップ５のスカート部分５Ｂの長さと対応するがわずかに小さい距離だけ唇部３から間隔を空けている。主として、このタイプの容器について、凹所２Ａは、唇部３の下面の下方に４〜７ｍｍである。このため、容器本体１は、口部であって従来のグラスまたは飲用容器のようにそこから飲むことが快適な口部を有する。しかしながら、凹所２Ａは、小さすぎるため、凹所２Ａは、容器から飲むことの快適性にわずかに影響を及ぼし、凹所２Ａは、他の実施形態において唇部３の直下に位置付けられる。
【００３５】
図１〜図７は、容器本体１を閉鎖するために使用されるキャップ５の外形を示している。キャップの円形部分５Ａの上面は、滑らかであり、使用時において、ブランド情報は、（キャップに直接にまたは上面に貼付されるラベルを用いて）上面に設けられてもよい。スカート部分５Ｂの外面には、リブ５Ｃまたは他の構造が設けられており、ユーザの手に対してさらにグリップをもたらす。これらは、スカート部分５Ｂにある溝部によってかつ／またはそこから突出するリブによって形成されうる。
【００３６】
図３に示されているように、キャップ５の内面には、複数の構造が設けられている。キャップ５は、第１に、複数の周方向で間隔を空けた深い凹所またはポケット部５Ｄと、第２に、一連の周方向に延在するより浅い凹所５Ｅであって凹所５Ｄ及び５Ｅの各組の間にある斜面部５Ｆを有する凹所５Ｅと、を有する。また、キャップ５は、複数の周方向で間隔を空けた凹所または切欠部５Ｈであってスカート部分５Ｂの先端に向けられてキャップ５を軽量化する切欠部５Ｈを有する。斜面部５Ｆ及びより狭い凹所５Ｅは、深い凹所５Ｄに対して径方向内方に突出し、その意味で、キャップの内面から突出していることか好ましい。これら構造は、実際にはカム面を形成する。これらさまざまな構造の機能は、以下でさらに説明されるだろう。
【００３７】
図２〜図９は、キャップ５を容器本体１に締結することを可能とするために使用される襟部６の外形を示している。襟部６は、複数の周方向で間隔を空けた径方向移動可能部分７を有する。これら部分それぞれは、外方突出面７Ａ及び内面７Ｂを有する。部分７それぞれには、周方向のスロット７Ｃ、７Ｄの対の間に設けられており、スロット７Ｃ、７Ｄは、約４０〜４５度で襟部６を囲んで延在し、それらの端部において例えば一体の蝶番である可撓性接続部７Ｅ、７Ｆによってリングに接続されている。
【００３８】
部分７は、図２〜図６及び図８に示すように開放（径方向外方）位置と、図７及び図９に示すように上記可撓性接続部７Ｅ、７Ｆに関する可撓性によって内方に屈曲した（径方向内方）位置との間で径方向に移動可能なように配置されている。部分７は、好ましくは、径方向外方位置に向けて弾性的に付勢されており、部分７は、径方向内方の力が付与されて部分７を径方向内方位置に保持するまで自然にこの位置に戻る。別の配置において、部分７は、径方向外方及び径方向内方の力をそれぞれ受けるときに、径方向外方及び径方向内方位置の間でスナップするように配置されてもよい。
【００３９】
図８において最も明確に示されているように、部分７が径方向外方位置にあると、部分７は、襟部のリングの外面から径方向外方に突出する一方、襟部のリングの内面は、ほぼ滑らかかつほぼ円形となる。対照的に、（図９において最も明確に示されている）径方向内方位置において、部分は、襟部のリングの内面から径方向内方に突出する（同様に、これらは襟部のリングから外方に突出するが、径方向外方位置にあるときよりも小さい程度である）。径方向外方位置にあるとき、部分７は、容器の唇部３の最大直径と同様またはわずかに大きい直径で位置しており、襟部は、唇部にわたって嵌合される。しかし、径方向内方位置にあるとき、部分７の内側部分は、唇部の最大直径よりも小さい直径で位置しており、襟部６は、容器の唇部３の下方で捕捉される。
【００４０】
また、襟部６は、凹所２Ａを容器本体の外面に係合させるための内方に向けられた突出部９を有する。好ましくは、突出部９の数は、凹所２Ａの数と対応しているが、この必要性は、事実ではない。好ましい実施形態において、各突出部９は、例えば図４、図５、図８及び図９に示すように、内方に延在する径方向腕部９を備える。径方向腕部９は、図８及び図９に示すように、上方から見ると三角形状を有しており、一面に垂直面であって凹所２Ａの側面と係合して容器に対する襟部の回転を阻止する垂直面と、他面に傾斜面であって襟部が弛緩方向に回転されるときに腕部９を凹所２Ａから外に導く傾斜面と、を有する。
【００４１】
部分７の端面７Ｇは、襟部６に一連の停止部をもたらし、停止部は、キャップ５の深い凹所５Ｄの端部（図３参照）を端面５Ｈで係合することで襟部６が弛緩方向でキャップ５に対して回転されることによって範囲を制限する。部分７のより小さい端面７Ｈは、停止部をもたらし、停止部は、端面５Ｉをより狭い凹所５Ｅで係合させることによって襟部におけるキャップの過度な締結を防止する。
【００４２】
襟部６における部分７の下面は、キャップ５の斜面部５Ｅの下面と係合するように構成されており、キャップ５が襟部６に対して締結方向で回転されると、キャップ５は襟部６に対して軸方向で移動され、キャップは、（直接か封止部材を介して）唇部３と封止接触に組み込まれ、係合面は、その間で例えば２０〜４０度回転運動すると例えば例えば０．７５〜２．０ｍｍの軸方向運動をもたらすように形付けられまたは傾斜される。
【００４３】
容器本体及び閉鎖部を組み立てるため、襟部６は、好ましくは、図４に示すように、まずキャップ５に嵌合されている。いったんそこに嵌合されると、襟部６は、（特許文献５に記載された配置と異なり）キャップ５内に置かれてスカート部分５Ｂの端部を越えて突出しない。これは、閉鎖部の出現を改善し、ユーザは、閉鎖部を解放するときに襟部６を取り扱う必要がない。（使用されている場合）封止部材は、襟部６をキャップ５に組み立てる前か後のいずれかにおいてキャップ５に組み立てられてもよい。
【００４４】
襟部６は、径方向移動可能部分７凹所５Ｄに位置させた状態でキャップ５に初めに組み立てられている。襟部６は、部分７を凹所５Ｄに揃えた状態でキャップ５に襟部６を軸方向で挿入することによってこの位置でキャップ５内に容易に取り付けられる。部分７の上面には、溝が掘られており、部分７が凹所５Ｄの所定場所に嵌め込まれるまで部分７が径方向内方に曲がることを補助する。キャップの凹所５Ｄ内における移動可能部分７の径方向外側部分の位置は、襟部６をキャップ５内に保持する働きをする。
【００４５】
この初期位置において、部分７は、それらの径方向外方位置に位置し、そこに襟部６が組み立てられた状態のキャップ５は、唇部３にわたって容器１の軸方向で組み立てられる。そして、キャップ５及び襟部６は、襟部６の突出部９が図５に示すように容器の凹所２Ａそれぞれに係合するまで、容器本体上で締結方向に回転される。凹所２Ａへの突出部９の係合は、容器本体１に対する襟部６のさらなる回転を有効に防止する（突出部９及び凹所２Ａそれぞれには、ほぼ平坦な垂直面が設けられており、垂直面は、互いに係合してこのような回転を防止する）。図６は、キャップ５が締結される前の容器におけるその開放位置にある襟部６を示している。
【００４６】
そして、キャップ５が締結方向（上方から見て時計回り）で回転される場合、キャップ５は、襟部６及び容器本体１に対して回転する。襟部６に対するキャップ５の回転は、凹所５Ｄから凹所５Ｅまで斜面部５Ｆの上へ部分７を移動させ、部分７が唇部３の下面３Ｂと係合される径方向内方位置に向けて部分７を付勢する。そして、襟部６の部分７は、凹所５Ｅの傾斜した下面にわたってスライドし、キャップ５は、容器本体の唇部３上に軸方向下方に締結され、容器本体の開口部４を封止する。このようにして、襟部６そしてキャップ５は、容器本体１に固定保持される。この位置は、図７に示される。
【００４７】
閉鎖部を取り外すため、キャップ５は、襟部６及び容器本体１に対して弛緩方向（上方から見て反時計回り）で回転される。この弛緩運動の間、部分７は、凹所５Ｅの下面に沿ってスライド後退し、キャップ５は、もはや唇部３との密接係合へ下方に付勢されず、部分７は、深い凹所５Ｄへ斜面部５Ｆを下って後退し、これらは、径方向外方位置に戻ることができる。いったん部分７がもはや唇部３の下方で係合しない径方向位置にこれらが達すると、キャップ５及び襟部６は、自由に容器本体１から軸方向で遠ざかって持ち上げられる。キャップ５は、凹所５Ｅ内でスライドするように容器を通気させるため、例えば容器内の高圧に起因してわずかに持ち上がることが自由である。これは、好ましくは、部分７が完全に唇部３から係合解除される前に発生し、キャップ５が容器本体１から飛び出す危険性を避けるように構成されている。あるいは、他の通気手段（図示略）は、設けられてこの危険性を低減してもよい。また、内圧を通気することは、キャップ５を弛緩するために必要なトルクを低減することを促進する。
【００４８】
凹所２Ａの上面は、好ましくは、容器の壁部に垂直であり、突出部９は、垂直方向においてそこから容易に係合解除されず、キャップの噴出に対する追加の保護部を形成する。しかしながら、突出部９のスライド面及び／または凹所２Ａのスライド面は、傾斜しまたは面取りされており、襟部が弛緩方向で回転されるように凹所２Ａから出る突出部９の運動を補助する。
【００４９】
必要ならば、閉鎖部は、閉鎖部を唇部３上に軸方向で押圧し、回転して突出部９を位置決凹所２Ａと係合しそしてキャップ５を回転させて閉鎖部を唇部３上に封止することによって、容器本体１に再度嵌合される。
【００５０】
図１０〜図１７は、本発明における第２の実施形態の容器を示しており、容器は、容器本体１１と、閉鎖部であってそれゆえキャップ１５及び襟部１６を備える閉鎖部と、を備える。
【００５１】
容器本体１１は、第１の実施形態における容器本体と同様であるが、図１０に示すように、容器本体１１は、連続的なテーパ状を有しており、容器本体１１の口部は、（図１に示す口部から離間する容器本体の壁部における膨出部よりも）容器本体１１における最も広い部分である。容器本体１１は、先と同様にその口部に容器本体から径方向外方に突出する唇部１３を有する。
【００５２】
また、キャップ１５は、第１の実施形態におけるキャップと同様であり、第１の実施形態におけるスカート部分と同様にスカート部分１５Ｂの内面において深い凹所１５Ｄと、浅い凹所１５Ｅと、斜面部１５Ｆと、端面１５Ｇ及び１５Ｉとを有する。
【００５３】
しかしながら、第２の実施形態における襟部１６は、第１の実施形態における襟部と異なる。襟部１６は、リング部１６Ａであってリング部に破断部１６Ｂを有するリング部１６Ａを備える。襟部は、（図１４及び図１６に示すように）必然的にリング部１６Ａの端部１６Ｃ、１６Ｄ間に小さい角度の重なり部分のみを有する開放位置をとるが、（図１５及び図１７に示すように）リング部１６Ａの端部１６Ｃ、１６Ｄがより大きい範囲で重なる閉鎖位置に曲げられうる。閉鎖位置（図１７）において襟部１６が開放位置（図１６）よりも小径を有することは、好ましい。
【００５４】
襟部１６は、複数の間隔が空いて径方向で移動可能な部分１７であって襟部１６に形成された部分１７を有する。これらは、図８と比較して図１６によって最もよく示されるように第１の実施形態における部分７と対応している。これら部分１７は、第１の実施形態における対応する機構のために上述した同様の方法で、キャップ１５のスカート部１５Ｂの内面にある機構と接触する。第１及び第２の実施形態間の本質的な差異は、第２の実施形態において、第１の実施形態におけるように襟部の個々の部分が曲がることよりはむしろ上述したようにリング部１６Ａが閉鎖及び開放位置間で移動する結果、部分１７が径方向内方及び外方に移動することである。同様に、第１の実施形態におけるように内方に曲げられる局所的な部分よりはむしろ、閉鎖位置において、リング部１６Ａの全体は、唇部１３の下方で係合し、閉鎖部を容器本体に固定する。図１５は、閉鎖部を容器本体１１に固定するために唇部１３の下方に係合された閉鎖位置にある襟部１６を示している。
【００５５】
閉鎖部が開放されると、キャップ１５は、襟部１６が（それ自体の弾性の効力によって）その開放位置に拡張するとすぐ、襟部１６に対して（第１の実施形態のように）弛緩方向で回転され、襟部１６の上端部は、唇部１３の下面から係合解除される。図１６は、この開放位置にある襟部１６を示している。そして、閉鎖部は、容器本体１１から遠ざかって持ち上げられる。
【００５６】
襟部１６の端部１６Ｃ、１６Ｄが重ねられるように、部分１７の円周間隔、特に破断部１６Ｂに最近接する部分１７が減少することは、好ましい。このため、部分１７は、リング部１６Ａ上に位置付けられ、襟部１６がその収縮状態にあると、部分１７は、（図１７に示すように）襟部１６の円周回りにほぼ等間隔で空けられる。これは、襟部が拡張状態にあると、（図１６に示すように）部分１７、特に破断部１６Ｂに最近接する部分１７がリング部１６Ａの周りに等間隔で空けられないことを意味する。同様に、このため、キャップ１５における凹所１５Ｄ、１５Ｅの周方向長さは、例えばキャップの周りにおける深い凹所１５Ｄの長さを次第に増加させることによって、好ましくはこれと適合するように変化される一方、狭い凹所１５Ｅを確保することは、収縮構造における襟部の部分１７をしっかりと係合させるのに十分となる。
【００５７】
また、襟部１６には、内方に延在して弾性のある径方向腕部１９であって容器本体１１の外面にある凹所１２Ａに係合して襟部１６の容器本体１１に対する回転を抑制するための径方向腕部１９が設けられている。腕部１９が凹所１２Ａに係合して襟部１６が閉鎖位置にあると、腕部１９は、図１７に示すようにリング部１６Ａの内面に対して圧縮されるが、凹所１２Ａの側面に係合したままであり、容器本体における襟部１６の回転を防止する。好ましくは、腕部１９は、襟部１６の拡張までこの圧縮位置で保持され、腕部１９は、容器からの襟部の取り外しを抑制しない。また、腕部の端部は、好ましくは襟部が容器から飛び出されるように腕部１９が凹所１２Ａを乗り切ることを補助するように形成されている。示されるように、この実施形態において、凹所１２Ａは、容器本体の唇部１３の直下に設けられてもよい。
【００５８】
図１８は、さらなる実施形態において用いられる襟部２６を示している。この場合、襟部２６は、襟部２６またはその部分が容器の唇部の下方で係合する内側位置と襟部２６が唇部から係合解除して襟部２６が容器から飛び出される外側、拡張位置との間で弾性的に拡張可能である。図示の例において、襟部２６は、複数の周方向で間隔の空いた部分２６Ａであってそれぞれが外方を向く面にネジ部分２７であってキャップの内面にある機構と係合するためのネジ部分２７を有する部分２６Ａと、内方を向く面にあって容器の唇部の下方に係合するための突出部２８と、を備える。襟部の部分２６Ａは、円周をなすように弾性的に拡張されてこのため襟部２６の直径が拡張及び収縮する弾性接続部２６Ｂによって結合されている。襟部２６の外周が増大及び減少するように、その部分が以前の実施形態のように径方向外側及び内側に移動されることは、好ましい。
【００５９】
図１８は、部分２６Ａよりも狭くなるような弾性接続部２６Ｂが示されているが、これらは、同様の寸法からなってもよく、襟部は、（第１及び第２の実施形態におけるように）ほぼ平行な上及び下端部を有するリング状をなす。好ましくは、上及び下端部は、ほぼ滑らかである。接続部２６Ｂの弾性は、図１８の蛇状の線によって概略的に示されている。
【００６０】
弾性接続部２６Ｂは、さまざまな形態をとる。１つの可能性において、弾性接続部２６Ｂは、折畳式の方法で拡張及び収縮する１以上のジグザグ接続部を備えておいる。
【００６１】
図１９及び図２０は、上述した実施形態で記載されたこれらに替えて用いられうる容器本体３２のさらなる形態を示す。襟部において径方向腕部（または他の内方突出部）と協働して容器本体３２に対する襟部の回転を抑制する停止機構は、この場合、（容器本体の壁部にある凹所に替えて）容器本体３２の唇部の直下に設けられた突出部３４によって形成される。２つのこのような突出部３４は、容器の唇部の周囲に１８０度間隔を空けて設けられている（１つの突出部のみ図面で示される）。
【００６２】
各突出部は、容器本体の壁部からほぼ径方向外方に延在するその一端部において面３４Ａを有しており、襟部が締結方向で回転されるように襟部の径方向腕部と係合して閉鎖部が容器本体に締結されるように襟部のこの方向における回転を制限する。他端部３４Ｂは、好ましくは、テーパ状または傾斜した形状を有しており、閉鎖部したがって襟部は、弛緩方向で回転され、襟部にある腕部１９は、突出部３４を乗り切り、腕部１９は、径方向外方に移動されて容器本体３２からの襟部の取り外しを補助する。しかしながら、一部の場合において、テーパ状または傾斜した形状は、容器本体からの襟部の取り外しにおいて補助するために必要でない場合がある。
【００６３】
停止機構の他の形態は、特に例えば上述で参照した特許文献５に示されている容器の口部の一部のように、容器に設けられてもよい。
【００６４】
上記実施形態それぞれは、襟部の円周方向に位置する要素を採用し、径方向内方及び外方に移動される機構を設けてもよい。これは、フラップまたはリング部から軸方向で延在する機構を有してこの機能を提供する配置と対照的である。
【００６５】
図示の実施形態それぞれは、襟部において８つの円周方向で間隔の空いた機構を有するが、より少ないまたはより多い数のこのような機構が使用されることは、好ましい。使用されるこのような機構の数は、容器の口部の外周によって決まってもよい。好ましくは、少なくとも４つのこのような機構があり、容器本体における閉鎖部のしっかりとした固定とそれらの間における良好な封止とを確保し、好ましくは、１２未満のこのような機構は、用いられ、さもなければ、これらは、製造するのに小さ過ぎかつ／または困難となる。
【００６６】
襟部は、好ましくは、キャップにスナップ嵌合部であり、スナップ嵌合部は、キャップが容器本体に嵌合される前に襟部に取り付けられ、襟部は、キャップが容器本体から取り外されるとキャップ内に保持される。好ましくは、いったんキャップ内に取り付けられると、襟部の任意の部分は、キャップのスカート部よりもキャップの外方に突出しない。これは、閉鎖部の審美的な外観を改善する。
【００６７】
上で示されるように、記載された各実施形態は、襟部の一部と係合して襟部の容器本体に対する回転を抑制するために、容器本体が１つ（または少数）の凹所または突出部のみを外面またはその唇部（もしくは唇部の下方）に有することを必要としている。容器本体の外面及びその唇部は、さもなければ、滑らかで邪魔のない形状を有する。これは、先と同様に、製品の審美性を改善して容器本体を容器本体からより快適に飲むようにする。
【００６８】
上記機能を提供するために襟部の外面及びキャップのスカート部の内面にさまざまな相互に係合可能な機構が設けられることは、好ましい。
【００６９】
図示の実施形態において、襟部またはその一部の弾性は、襟部をその開放もしくは拡張形状（またはその逆）に戻すことに依存する。しかしながら、キャップ及び襟部は、キャップが襟部に対して締結方向で回転されるように構成されてもよく、それは、襟部をその収縮形状に駆動し、キャップが襟部に対して弛緩方向で回転されるとそれは襟部をその開放すなわち拡大形状に駆動する。
【００７０】
容器壁部１２、唇部１３及び凹所１２Ａの形状は、好ましくは、容器本体が射出成形工程によって製造されるようになっている。これは、容器本体のデザイン及び形状により大きな柔軟性を生じさせ、それゆえこれが製造されるという点でより大きな柔軟性を生じさせる。しかしながら、本明細書に記載された容器は、必要に応じて射出成形及びブロー成形からなる２段工程によって製造されてもよい。
【００７１】
本明細書に記載された容器のさらなる有利点は、これらが他の同様の容器本体と入れ子となることが可能なような形状とされる点である。これは、空の容器が貯蔵されまたは輸送されるときに十分な空間の節約をもたらす。
【００７２】
上述したように、図示された容器は、特許文献５に記載された容器に対して多くの有利点を有する。特に、容器のより単純な形状は、容器を容易に製造しかつより少ない材料を必要とすることが可能とし、製造コストを低減する。
【符号の説明】
【００７３】
１  容器本体，容器、２，１２  壁部，容器壁部（外壁）、３，１３  唇部，周縁部、３Ｂ  下面、４  開口部、５，１５  キャップ、５Ｄ，１５Ｄ  ポケット部，深い凹所、５Ｅ，１５Ｅ  浅い凹所，斜面部、５Ｆ，１５Ｆ  斜面部、６，１６，２６  襟部、７  径方向移動可能部分，移動可能部分，部分、９，１９，２８  突出部，径方向腕部，腕部、１１，３２  容器本体、１６Ａ  リング部
【図１】
2009544543.tif 000003
【図２】
2009544543.tif 000004
【図３】
2009544543.tif 000005
【図４】
2009544543.tif 000006
【図５】
2009544543.tif 000007
【図６】
2009544543.tif 000008
【図７】
2009544543.tif 000009
【図８】
2009544543.tif 000010
【図９】
2009544543.tif 000011
【図１０】
2009544543.tif 000012
【図１１】
2009544543.tif 000013
【図１２】
2009544543.tif 000014
【図１３】
2009544543.tif 000015
【図１４】
2009544543.tif 000016
【図１５】
2009544543.tif 000017
【図１６】
2009544543.tif 000018
【図１７】
2009544543.tif 000019
【図１８】
2009544543.tif 000020
【図１９】
2009544543.tif 000021
【図２０】
2009544543.tif 000022
【国際調査報告】
2009544543.tif 000023
2009544543.tif 000024
2009544543.tif 000025